(57)【要約】【課題】クーポン目的の検索を促進しつつ、ユーザの購買意欲を刺激してクーポン利用を促進させることが可能な情報検索装置、情報検索方法及びプログラムを提供する。【解決手段】端末機器からの検索要求に基づいて、当該検索要求に適合する検索結果を取得する検索手段（制御部１１）と、取得された検索結果内に含まれる商品の時限付クーポンの開始条件を満たすか否かを判定する第１の判定手段（制御部１１）と、開始条件を満たすと判定された場合に、時限付クーポンを表示させるためのクーポン情報を付加した商品を検索結果として含むウェブページを、端末機器に配信する配信手段（制御部１１）と、を備える。【選択図】図２
2015179364.tif 000002
【特許請求の範囲】
【請求項１】
端末からの検索要求に基づいて、当該検索要求に適合する検索結果を取得する検索手段と、
前記検索手段により取得された検索結果内に含まれる商品に対応付けられた時限付クーポンの開始条件を満たすか否かを判定する第１の判定手段と、
前記第１の判定手段により開始条件を満たすと判定された場合に、前記時限付クーポンを表示させるためのクーポン情報を付加した前記商品を検索結果として含むウェブページを、前記端末に配信する配信手段と、
を備えることを特徴とする情報検索装置。
【請求項２】
前記端末において前記ウェブページに表示された商品が選択されたことによる当該商品の商品ページのページ取得要求に基づいて、当該ページ取得要求された商品の時限付クーポンが有効期限内であるか否かを判定する第２の判定手段を備え、
前記配信手段は、前記第２の判定手段により有効期限内であると判定された場合に、前記時限付クーポンを表示させるためのクーポン情報を付加した前記商品の商品ページを、前記端末に配信することを特徴とする請求項１に記載の情報検索装置。
【請求項３】
前記配信手段は、前記ページ取得要求のタイミングに基づいて、前記時限付クーポンのクーポン内容を変更することを特徴とする請求項２に記載の情報検索装置。
【請求項４】
前記配信手段は、前記有効期限の残り時間が短くなるにつれて前記時限付クーポンのオフ率を低くすることを特徴とする請求項３に記載の情報検索装置。
【請求項５】
前記配信手段は、一の前記商品に対して複数のキーワードが対応付けられている場合に、前記検索要求と一致したキーワードの内容に基づいて前記クーポン情報の内容を決定することを特徴とする請求項１〜４のいずれか一項に記載の情報検索装置。
【請求項６】
前記配信手段は、一の前記商品に対して複数のキーワードが対応付けられている場合に、前記検索要求と一致するキーワード数に基づいて前記クーポン情報の内容を決定することを特徴とする請求項１〜５のいずれか一項に記載の情報検索装置。
【請求項７】
情報検索装置の情報検索方法であって、
端末からの検索要求に基づいて、当該検索要求に適合する検索結果を取得するステップと、
前記取得された検索結果内に含まれる商品に対応付けられた時限付クーポンの開始条件を満たすか否かを判定するステップと、
前記開始条件を満たすと判定された場合に、前記時限付クーポンを表示させるためのクーポン情報を付加した前記商品を検索結果として含むウェブページを、前記端末に配信するステップと、
を有することを特徴とする情報検索方法。
【請求項８】
コンピュータを、
端末からの検索要求に基づいて、当該検索要求に適合する検索結果を取得する検索手段、
前記検索手段により取得された検索結果内に含まれる商品に対応付けられた時限付クーポンの開始条件を満たすか否かを判定する第１の判定手段、
前記第１の判定手段により開始条件を満たすと判定された場合に、前記時限付クーポンを表示させるためのクーポン情報を付加した前記商品を検索結果として含むウェブページを、前記端末に配信する配信手段、
として機能させるためのプログラム。
【発明の詳細な説明】
【技術分野】
【０００１】
本発明は、情報検索装置、情報検索方法及びプログラムに関する。
【背景技術】
【０００２】
従来、ユーザが検索したキーワードに関連した広告を検索結果画面に表示する検索連動型広告が知られている。検索連動型広告においては、検索を契機に広告が表示されるので、検索回数を増やすこと、即ち、キーワード検索の促進が課題となる。
キーワード検索の促進を目的とするサービスとして、例えば、ストア名に関係するキーワードを入力して検索すると、検索結果画面に全国の店舗で利用できるクーポンを表示するサービスが知られている。また、クーポン目的の検索を促進すべく、ユーザの意図を考慮したクーポンを効率的に発行することが可能な技術が開示されている（例えば、特許文献１参照）。
【先行技術文献】
【特許文献】
【０００３】
【特許文献１】特開２００３−７６９１１号公報
【発明の概要】
【発明が解決しようとする課題】
【０００４】
しかしながら、上記従来の技術では、クーポン目的の検索を促進することはできるが、実際のクーポン利用にまでなかなか結びつかず、ユーザ及び店舗の双方にとって満足できるものとは言えなかった。
【０００５】
本発明は、クーポン目的の検索を促進しつつ、ユーザの購買意欲を刺激してクーポン利用を促進させることが可能な情報検索装置、情報検索方法及びプログラムを提供することを目的とする。
【課題を解決するための手段】
【０００６】
請求項１に記載の発明は、上記目的を達成するためになされたものであり、
情報検索装置において、
端末からの検索要求に基づいて、当該検索要求に適合する検索結果を取得する検索手段と、
前記検索手段により取得された検索結果内に含まれる商品に対応付けられた時限付クーポンの開始条件を満たすか否かを判定する第１の判定手段と、
前記第１の判定手段により開始条件を満たすと判定された場合に、前記時限付クーポンを表示させるためのクーポン情報を付加した前記商品を検索結果として含むウェブページを、前記端末に配信する配信手段と、
を備えることを特徴とする。
【０００７】
請求項２に記載の発明は、請求項１に記載の情報検索装置において、
前記端末において前記ウェブページに表示された商品が選択されたことによる当該商品の商品ページのページ取得要求に基づいて、当該ページ取得要求された商品の時限付クーポンが有効期限内であるか否かを判定する第２の判定手段を備え、
前記配信手段は、前記第２の判定手段により有効期限内であると判定された場合に、前記時限付クーポンを表示させるためのクーポン情報を付加した前記商品の商品ページを、前記端末に配信することを特徴とする。
【０００８】
請求項３に記載の発明は、請求項２に記載の情報検索装置において、
前記配信手段は、前記ページ取得要求のタイミングに基づいて、前記時限付クーポンのクーポン内容を変更することを特徴とする。
【０００９】
請求項４に記載の発明は、請求項３に記載の情報検索装置において、
前記配信手段は、前記有効期限の残り時間が短くなるにつれて前記時限付クーポンのオフ率を低くすることを特徴とする。
【００１０】
請求項５に記載の発明は、請求項１〜４のいずれか一項に記載の情報検索装置において、
前記配信手段は、一の前記商品に対して複数のキーワードが対応付けられている場合に、前記検索要求と一致したキーワードの内容に基づいて前記クーポン情報の内容を決定することを特徴とする。
【００１１】
請求項６に記載の発明は、請求項１〜５のいずれか一項に記載の情報検索装置において、
前記配信手段は、一の前記商品に対して複数のキーワードが対応付けられている場合に、前記検索要求と一致するキーワード数に基づいて前記クーポン情報の内容を決定することを特徴とする。
【００１２】
請求項７に記載の発明は、
情報検索装置の情報検索方法であって、
端末からの検索要求に基づいて、当該検索要求に適合する検索結果を取得するステップと、
前記取得された検索結果内に含まれる商品に対応付けられた時限付クーポンの開始条件を満たすか否かを判定するステップと、
前記開始条件を満たすと判定された場合に、前記時限付クーポンを表示させるためのクーポン情報を付加した前記商品を検索結果として含むウェブページを、前記端末に配信するステップと、
を有することを特徴とする。
【００１３】
請求項８に記載の発明は、
コンピュータを、
端末からの検索要求に基づいて、当該検索要求に適合する検索結果を取得する検索手段、
前記検索手段により取得された検索結果内に含まれる商品に対応付けられた時限付クーポンの開始条件を満たすか否かを判定する第１の判定手段、
前記第１の判定手段により開始条件を満たすと判定された場合に、前記時限付クーポンを表示させるためのクーポン情報を付加した前記商品を検索結果として含むウェブページを、前記端末に配信する配信手段、
として機能させるためのプログラムである。
【発明の効果】
【００１４】
本発明によれば、クーポン目的の検索を促進しつつ、ユーザの購買意欲を刺激してクーポン利用を促進させることができる。
【図面の簡単な説明】
【００１５】
【図１】本実施形態に係る情報検索システムの構成を示す図である。
【図２】本実施形態に係るサーバ装置の制御構成を示すブロック図である。
【図３】本実施形態に係る端末機器の制御構成を示すブロック図である。
【図４】本実施形態に係るサーバ装置の動作を示すフローチャートである。
【図５】クーポンＤＢの一例を示す図である。
【図６】検索結果画面の一例を示す図である。
【図７】商品ページ画面の一例を示す図である。
【図８】クーポンＤＢの一変形例を示す図である。
【発明を実施するための形態】
【００１６】
以下、本発明の実施の形態について、図面を参照して詳細に説明する。
【００１７】
［１．構成の説明］
［１−１．システム構成の説明］
まず、本実施形態に係る情報検索システム１００の構成について説明する。
情報検索システム１００は、図１に示すように、サーバ装置（情報検索装置）１と、複数の基地局２と、複数の端末機器（端末）３と、を備えて構成されている。この情報検索システム１００において、サーバ装置１と基地局２とは、通信ネットワークＮにより互いに通信可能に接続されている。通信ネットワークＮは、具体的には、インターネットや電気通信事業者等の電話回線網や携帯電話通信網等である。
【００１８】
サーバ装置１は、例えば、ＰＣ、ＷＳ（Work Station）等の情報機器であり、端末機器３に対して一般的な検索サービスを提供する検索サーバである。具体的には、サーバ装置１は、端末機器３においてクエリによる検索要求がなされると、指定されたクエリに適合する検索結果を端末機器３に提供する。そして、端末機器３においてユーザが検索結果から所望の商品を選択すると、その商品を説明する商品ページに遷移するようになっている。
【００１９】
基地局２は、携帯電話通信網などにおける無線基地局であり、端末機器３と通信ネットワークＮとの間のデータ通信を中継する。このため、情報検索システム１００では、サーバ装置１と端末機器３とが、互いに通信可能に接続されている。
【００２０】
端末機器３は、ＰＣ、スマートフォンやタブレットなどのスマートデバイス、携帯電話機等の各ユーザが所持して使用する端末機器である。また、端末機器３は、通信ネットワークＮ（具体的には、端末機器３の通信回線や無線ＬＡＮ（Local Area Network）等）を用いて、サーバ装置１との間で相互に通信を行う。
【００２１】
［１−２．サーバ装置の構成の説明］
次に、サーバ装置１の構成について説明する。
サーバ装置１は、図２に示すように、制御部１１と、操作部１２と、表示部１３と、記憶部１４と、通信部１５と、を備えて構成されている。
【００２２】
制御部１１は、サーバ装置１の動作を中央制御する。具体的には、制御部１１は、ＣＰＵ、ＲＯＭ、ＲＡＭなどを備えて構成され、ＲＡＭの作業領域に展開されたＲＯＭや記憶部１４に記憶されたプログラムデータとＣＰＵとの協働により、サーバ装置１の各部を統括制御する。
【００２３】
操作部１２は、例えば、文字入力キー、数字入力キー、その他各種機能に対応付けられたキーなどを有するキーボード、マウス等のポインティングデバイスなどを備え、ユーザからの操作入力を受け付けて、操作入力に応じた操作信号を制御部１１へと出力する。
【００２４】
表示部１３は、例えば、ＣＲＴ（Cathode Ray Tube）やＬＣＤ（Liquid Crystal Display）などのディスプレイを備え、制御部１１から出力された表示制御信号に基づいた画像を表示画面に表示する。
【００２５】
記憶部１４は、例えば、ＨＤＤ（Hard disk drive）、半導体メモリなどにより構成さ
れ、プログラムデータや各種設定データ等のデータを制御部１１から読み書き可能に記憶する。
また、検索用のウェブサイトを構成する各ウェブページの情報が記憶されている。各ウェブページは、ウェブサイトのトップページや、当該トップページにリンクが付与された各コンテンツのページ群等である。各ウェブページは、例えば、ｈｔｍｌデータ、画像データ、スクリプトデータ等により構成される。
また、記憶部１４には、各ストアから入稿されたクーポン対象商品のクーポン情報を集約したクーポンＤＢ１４１が格納されている（図５参照）。
【００２６】
通信部１５は、通信用ＩＣ（Integrated Circuit）及び通信コネクタなどを有する通信インターフェイスであり、制御部１１の制御の下、所定の通信プロトコルを用いて通信ネットワークＮを介したデータ通信を行う。例えば、通信部１５は、端末機器３の通信部３５から送信されたクエリによる検索要求、検索結果に含まれる商品の商品ページのページ取得要求等を受信する。また、通信部１５は、時限付クーポンを表示させるためのクーポン情報を付加した商品を検索結果として含むウェブページ、時限付クーポンを表示させるためのクーポン情報を付加した商品の商品ページ等を、端末機器３の通信部３５に配信する。
【００２７】
［１−３．端末機器の構成の説明］
次に、端末機器３の構成について説明する。
端末機器３は、図３に示すように、制御部３１と、操作部３２と、表示部３３と、記憶部３４と、通信部３５と、を備えて構成されている。
【００２８】
制御部３１は、端末機器３の動作を中央制御する。具体的には、制御部３１は、ＣＰＵ、ＲＯＭ、ＲＡＭなどを備えて構成され、ＲＡＭの作業領域に展開されたＲＯＭや記憶部３４に記憶されたプログラムデータとＣＰＵとの協働により、端末機器３の各部を統括制御する。
【００２９】
操作部３２は、例えば、各種機能に対応付けられたキーなどを有するキー入力部を備え、ユーザからの操作入力を受け付けて、操作入力に応じた操作信号を制御部３１へと出力する。なお、操作部３２は、例えば、表示部３３と一体的に形成されたタッチパネルなどであってもよい。
表示部３３は、例えば、ＬＣＤ、有機ＥＬ（Electro Luminescence）素子を用いたＦＰＤ（Flat Panel Display）などのディスプレイを備え、制御部３１から出力された表示制御信号に基づいた画像を表示画面に表示する。例えば、表示部３３は、ユーザにより指定されたクエリによる検索要求に基づく検索結果を一覧表示する検索結果画面（図６参照）や検索結果画面において選択された商品の商品ページを表示する商品ページ画面（図７参照）を表示する。
【００３０】
記憶部３４は、例えば、ＨＤＤ、半導体メモリなどにより構成され、プログラムデータや各種設定データ等のデータを制御部３１から読み書き可能に記憶する。
【００３１】
通信部３５は、アンテナや通信回路を備え、制御部３１による制御の下で外部機器との間の無線通信を行う。具体的には、通信部３５は、基地局２で中継されることで、通信ネットワークＮを介してデータ通信を行う。例えば、通信部３５は、ユーザにより指定されたクエリによる検索要求、当該検索要求に基づく検索結果に含まれる商品のページ取得要求等を、サーバ装置１の通信部１５に送信する。また、通信部３５は、サーバ装置１の通信部１５から配信されたウェブページ、ページ取得要求した商品の商品ページ等を受信する。
【００３２】
［２．動作の説明］
次に、本実施形態に係るサーバ装置１の具体的な動作について、図４のフローチャートを参照して説明する。
【００３３】
まず、サーバ装置１の制御部１１は、端末機器３からの検索要求を取得したか否かを判定する（ステップＳ１０１）。具体的には、制御部１１は、通信部１５により、端末機器３においてユーザにより指定されたクエリによる検索要求を取得したか否かを判定する。
検索要求を取得したと判定した場合（ステップＳ１０１：ＹＥＳ）は、次のステップＳ１０２へと移行する。
一方、検索要求を取得していないと判定した場合（ステップＳ１０１：ＮＯ）は、検索要求を取得するまでステップＳ１０１の処理を繰り返す。
【００３４】
次に、制御部１１は、ステップＳ１０１で取得された検索要求に基づく検索結果を取得する（ステップＳ１０２）。具体的には、制御部１１は、ステップＳ１０１で取得された検索要求に応答して検索処理を実行し、指定されたクエリに適合する検索結果を取得する。
即ち、制御部１１は、端末機器３からの検索要求に基づいて、当該検索要求に適合する検索結果を取得する検索手段として機能する。
【００３５】
次に、制御部１１は、ステップＳ１０２で取得された検索結果の中に、クーポン対象商品が含まれているか否かを判定する（ステップＳ１０３）。ここで、クーポン対象商品とは、各ストアにより時限付クーポンの対象として入稿された商品のことである。時限付クーポンとは、有効期限が予め定められたクーポンのことであり、有効期限の残り時間をユーザに報知して購買意欲をあおることが可能なクーポンのことである。クーポン対象商品のクーポン情報は、各ストアからの入稿時に記憶部１４に記憶される。各ストアから入稿されたクーポン対象商品のクーポン情報は、クーポンＤＢ１４１として集約された形で記憶部１４に格納されている。
【００３６】
クーポンＤＢ１４１は、図５に示すように、商品情報（商品名）と、キーワード、クーポン内容、有効期限及び開始条件と、を紐づけした状態で、記憶部１４に格納されている。例えば、図５に示す例では、商品情報が「加湿器○○」の場合、当該商品情報に対応付けられたキーワードは「加湿器」、クーポン内容は「３０％オフ」、有効期限は「１０分」、開始条件は「３月２０日までに在庫３０個以上」である。また、商品情報が「加湿器△△」の場合、当該商品情報に対応付けられたキーワードは「加湿器」、クーポン内容は「２５％オフ」、有効期限は「１０分」、開始条件は「３月２０日までに在庫２０個以上」である。なお、キーワードは、各ストアからの入稿時に各ストアにより設定するようにしてもよいし、商品情報から自動的に抽出するようにしてもよい。
【００３７】
制御部１１は、このクーポンＤＢ１４１を参照して、指定されたクエリと、各クーポン対象商品に対応付けられたキーワードと、が一致するクーポン対象商品が存在した場合に、クーポン対象商品が含まれていると判定する。例えば、図５に示す例では、指定されたクエリが「加湿器」であった場合に、クーポン対象商品が含まれていると判定する。
クーポン対象商品が含まれていると判定した場合（ステップＳ１０３：ＹＥＳ）は、ステップＳ１０５へと移行する。
一方、クーポン対象商品が含まれていないと判定した場合（ステップＳ１０３：ＮＯ）は、ステップＳ１０２で取得された検索結果を一覧表示するウェブページのみを端末機器３に配信し（ステップＳ１０４）、処理を終了する。
【００３８】
次に、制御部１１は、検索結果に含まれるクーポン対象商品が所定の開始条件を満たすか否かを判定する（ステップＳ１０５）。具体的には、制御部１１は、クーポンＤＢ１４１を参照して、検索結果に含まれるクーポン対象商品の各々が個別に対応付けられている時限付クーポンの開始条件を満たしているか否かを判定する。
即ち、制御部１１は、検索手段により取得された検索結果内に含まれるクーポン対象商品に対応付けられた時限付クーポンの開始条件を満たすか否かを判定する第１の判定手段として機能する。
制御部１１は、少なくとも一のクーポン対象商品が開始条件を満たしていた場合に、開始条件を満たすと判定する。例えば、図５に示す例では、「３月２０日までに在庫３０個以上」であった場合に、開始条件を満たすと判定する。
所定の開始条件を満たすと判定した場合（ステップＳ１０５：ＹＥＳ）は、ステップＳ１０６へと移行する。
一方、所定の開始条件を満たしていないと判定した場合（ステップＳ１０５：ＮＯ）は、ステップＳ１０２で取得された検索結果を一覧表示するウェブページのみを端末機器３に配信し（ステップＳ１０４）、処理を終了する。
なお、在庫が切れた場合や有効期限が経過した場合等、開始条件を満たしたとしても既に時限付クーポンの有効性が失われてしまったような場合も、ステップＳ１０２で取得された検索結果を一覧表示するウェブページのみを端末機器３に配信して処理を終了するようにしてもよい。
【００３９】
次に、制御部１１は、時限付クーポンを表示させるためのクーポン情報を付加したクーポン対象商品を検索結果として含むウェブページを、通信部１５により端末機器３に配信させる（ステップＳ１０６）。クーポン情報は、例えば、商品の割引率（オフ率）や有効期限の残り時間等を含む情報である。
即ち、制御部１１は、第１の判定手段により開始条件を満たすと判定された場合に、時限付クーポンを表示させるためのクーポン情報を付加したクーポン対象商品を検索結果として含むウェブページを、端末機器３に配信する配信手段として機能する。
端末機器３に配信されたウェブページは、図６に示すような検索結果画面として端末機器３の表示部３３に表示される。
【００４０】
検索結果画面は、図６に示すように、ユーザがクエリを入力可能な検索ボックス３３１と、キーワードの入力を確定して検索要求を行うための検索ボタン３３２と、入力されたキーワードによる検索要求に適合する商品を一覧表示する商品一覧表示部３３３と、商品一覧表示部３３３にクーポン対象商品が表示された場合に、当該クーポン対象商品の時限付クーポンを表示するクーポン表示部３３４と、を備えて構成される。図６は、キーワードとして検索ボックス３３１に「加湿器」と入力されて検索ボタン３３２が押下された場合の検索結果画面であり、商品一覧表示部３３３には４つの商品Ａ１〜Ａ４が表示され、クーポン表示部３３４にはクーポン対象商品Ａ１、Ａ２にそれぞれ対応する時限付クーポンＣ１、Ｃ２が表示されている。
なお、商品一覧表示部３３３に表示される商品の表示順は、クーポン対象商品が優先され、クーポン対象商品が複数ある場合には時限付クーポンの残り時間の長い方が優先されることが好ましい。例えば、図６に示す例では、クーポン対象商品Ａ１、Ａ２がクーポン対象でない商品Ａ３、Ａ４に優先され、クーポン対象商品Ａ１、Ａ２では各時限付クーポンＣ１、Ｃ２の残り時間の長い商品Ａ１が優先される。
【００４１】
次に、制御部１１は、端末機器３からのクーポン対象商品の商品ページのページ取得要求を取得したか否かを判定する（ステップＳ１０７）。具体的には、制御部１１は、端末機器３においてウェブページ（検索結果画面）に表示されたクーポン対象商品（当該クーポン対象商品の時限付クーポンを含む）が選択されたことによる当該クーポン対象商品の商品ページのページ取得要求を取得したか否かを判定する。なお、本実施形態では、図６に示す検索結果画面において、時限付クーポンＣ１がクリック操作されたことにより、ページ取得要求が発生したものとする。
ページ取得要求を取得したと判定した場合（ステップＳ１０７：ＹＥＳ）は、次のステップＳ１０８へと移行する。
一方、ページ取得要求を取得していないと判定した場合（ステップＳ１０７：ＮＯ）は、ページ取得要求を取得するまでステップＳ１０７の処理を繰り返す。
なお、クーポン対象ではない商品の商品ページのページ取得要求を取得した場合は、当該商品の商品ページのみを端末機器３に配信して、処理を終了する。
【００４２】
次に、制御部１１は、ページ取得要求されたクーポン対象商品の時限付クーポンが有効期限内であるか否かを判定する（ステップＳ１０８）。具体的には、制御部１１は、クーポンＤＢ１４１を参照して、ページ取得要求されたクーポン対象商品の時限付クーポンが有効期限内であるか否かを判定する。例えば、図５に示す例では、カウントが開始されてから「１０分」以内であった場合に、有効期限内であると判定する。なお、カウントが開始される条件は、例えば、検索結果が表示されたタイミングとしてもよいし、在庫が所定数以下となった場合や所定の期日を経過した場合としてもよい。
即ち、制御部１１は、端末機器３においてウェブページに表示されたクーポン対象商品が選択されたことによる当該クーポン対象商品の商品ページのページ取得要求に基づいて、当該ページ取得要求されたクーポン対象商品の時限付クーポンが有効期限内であるか否かを判定する第２の判定手段として機能する。
有効期限内であると判定した（ステップＳ１０８：ＹＥＳ）は、次のステップＳ１１０へと移行する。
一方、有効期限内でない、即ち、有効期限外であると判定した（ステップＳ１０８：ＮＯ）は、ページ取得要求されたクーポン対象商品の商品ページのみを端末機器３に配信して（ステップＳ１０９）、処理を終了する。
【００４３】
次に、制御部１１は、時限付クーポンを表示させるためのクーポン情報を付加したクーポン対象商品の商品ページを、端末機器３に配信する（ステップＳ１１０）。具体的には、制御部１１は、ページ取得要求されたクーポン対象商品の商品ページを端末機器３に配信する。また、制御部１１は、当該商品ページのリファラ（リンク元のページ（本実施形態では、図６の時限付クーポンＣ１）のＵＲＬ）を参照し、当該リファラのパラメータ部分に埋め込まれたクーポン情報を抽出して、端末機器３に配信する。
即ち、制御部１１は、配信手段として、第２の判定手段により有効期限内であると判定された場合に、時限付クーポンを表示させるためのクーポン情報を付加したクーポン対象商品の商品ページを、端末機器３に配信する。
端末機器３に配信された商品ページは、図７に示すような商品ページ画面として端末機器３の表示部３３に表示される。
【００４４】
商品ページ画面は、図７に示すように、ページ取得要求されたクーポン対象商品を表示する商品表示部３３５と、クーポン対象商品の詳細情報（例えば、販売価格や送料等）を説明する商品説明部３３６と、クーポン対象商品の購入を確定するための購入ボタン３３７と、クーポン対象商品の時限付クーポンを表示するクーポン表示部３３８と、を備えて構成される。図７は、図６の検索結果画面において、クーポン対象商品Ａ１（クーポンＣ１）が選択された場合の商品ページ画面であり、クーポン表示部３３４には検索結果画面に引き続きクーポン対象商品Ａ１のクーポンＣ１が表示されている。
従って、例えば、クーポン対象商品の商品ページへの遷移が検索結果画面（図６参照）からではなく、他のページからであった場合、リファラを参照してもクーポン情報を抽出することができないので、商品ページに時限付クーポンが表示されることはない。
【００４５】
［３．効果］
以上のように、本実施形態に係る情報検索装置（サーバ装置１）は、端末機器３からの検索要求に基づいて、当該検索要求に適合する検索結果を取得する検索手段（制御部１１）と、検索手段により取得された検索結果内に含まれるクーポン対象商品に対応付けられた時限付クーポンの開始条件を満たすか否かを判定する第１の判定手段（制御部１１）と、第１の判定手段により開始条件を満たすと判定された場合に、時限付クーポンを表示させるためのクーポン情報を付加したクーポン対象商品を検索結果として含むウェブページを、端末機器３に配信する配信手段（制御部１１）と、を備える。
従って、本実施形態に係る情報検索装置によれば、クーポン対象商品が検索された場合にのみ時限付クーポンの適用を受けることができるので、クーポン目的の検索を促進することができる。また、クーポンを時限付のものとしているので、有効期限内に購入を決断しない限りクーポンの適用を受けることができないことから、ユーザの購買意欲を刺激することができる。その結果、クーポンの利用を促進させることができる。
【００４６】
また、本実施形態に係る情報検索装置は、端末機器３においてウェブページに表示されたクーポン対象商品が選択されたことによる当該クーポン対象商品の商品ページのページ取得要求に基づいて、当該ページ取得要求されたクーポン対象商品の時限付クーポンが有効期限内であるか否かを判定する第２の判定手段（制御部１１）を備える。また、配信手段は、第２の判定手段により有効期限内であると判定された場合に、時限付クーポンを表示させるためのクーポン情報を付加したクーポン対象商品の商品ページを、端末機器３に配信する。
従って、本実施形態に係る情報検索装置によれば、検索されたクーポン対象商品が検索結果画面において選択された場合にのみ時限付クーポンの適用を受けることができるようにしたので、検索したタイミングで購入を決断しない限りクーポンの適用を受けることができないことから、ユーザの購買意欲を更に刺激することができる。その結果、クーポンの利用をより促進させることができる。
【００４７】
［４．その他］
以上、本発明に係る実施形態に基づいて具体的に説明したが、本発明は上記実施形態に限定されるものではなく、その要旨を逸脱しない範囲で変更可能である。
【００４８】
例えば、上記実施形態では、クーポン対象商品毎に任意に有効期限を設定するようにしているが、これに限定されるものではない。例えば、クーポン対象商品の価格が高くなるにつれて長くなるように有効期限を設定するようにしてもよい。これにより、高額の商品ほどユーザの検討時間を確保できる一方で、低額の商品であれば、有効期限を短くしてユーザの購買意欲を刺激することができるので、ユーザにとってより適切なサービスを提供することができる。
【００４９】
また、上記実施形態では、時限付クーポンのクーポン内容を一定のものとしているが、これに限定されるものではない。例えば、制御部１１の制御により、ページ取得要求のタイミングに基づいて、時限付クーポンのクーポン内容を変更するようにしてもよい。
例えば、上記実施形態では、クーポン対象商品毎に一定のオフ率を設定するようにしているが、これに限定されるものではない。例えば、制御部１１は、時間が経過するにつれて、即ち、有効期限の残り時間が短くなるにつれて時限付クーポンのオフ率を低くするようにしてもよい。
これにより、早く買えば買うほどオフ率を高くすることができるので、ユーザの購買意欲を刺激することができ、広告効果を向上させることができる。
【００５０】
また、上記実施形態では、一のクーポン対象商品に対して一のキーワードを対応付けるようにしているが、これに限定されるものではない。即ち、一のクーポン対象商品に対して複数のキーワードを対応付けるようにしてもよい。例えば、図８に示す例では、一の商品「加湿器○○」に対して、「加湿器」、「アロマディフューザー」、「加湿器○○」の３つのキーワードが対応付けされている。
【００５１】
また、制御部１１は、一のクーポン対象商品に対して複数のキーワードが対応付けられている場合に、検索要求（クエリ）と一致したキーワードの内容に基づいてクーポン情報の内容を決定するようにしてもよい。
例えば、図８に示すように、一の商品「加湿器○○」に対して、商品の一般的な呼称である「加湿器」で検索された場合は「３０％オフ」とし、商品の具体名である「加湿器○○」で検索された場合は「２０％オフ」としてもよい。これは、一般的な呼称で検索された場合、具体名で検索された場合と比較して、特定の商品（上記の例では「加湿器○○」）に対する購買意欲が低いと考えられるため、オフ率を高くしてユーザの購買意欲を刺激することが有効であるからである。
また、図８に示すように、一の商品「加湿器○○」に対して、「アロマディフューザー」で検索された場合は、商品価格を割引く代わりに、「アロマオイル」を添付するようにしてもよい。即ち、本発明における時限付クーポンの内容は、商品価格の割引に限られず、買い手に利益を還元可能なものであれば、いかなる内容であってもよい。
【００５２】
また、制御部１１は、一のクーポン対象商品に対して複数のキーワードが対応付けられている場合に、検索要求（クエリ）と一致するキーワード数に基づいてクーポン情報の内容を決定するようにしてもよい。
例えば、一の商品「加湿器○○」に対して、「加湿器  アロマディフューザー」の二語で検索された場合は、オフ率を低くするようにしてもよい。これは、検索時のクエリ数が多ければ多いほど商品に対する購買意欲が高いと考えられるため、オフ率を低くしても商品を購入させることができるからである。
【００５３】
また、上記実施形態では、商品ページ画面において、商品ページと時限付クーポンとを同時に表示させる、即ち、商品ページに遷移したタイミングで時限付クーポンを表示させるようにしているが、これに限定されるものではない。例えば、商品ページに遷移したタイミングで表示させるのではなく、ユーザの興味の高まり、即ち、購買意欲を感じ取ることができた場合に、表示させるようにしてもよい。購買意欲を感じ取る場合の例としては、例えば、商品ページを表示している時間の長さや当該商品ページ又は類似する商品の商品ページを検索表示させた回数等が挙げられる。
これにより、ユーザの購買意欲が十分に感じ取れる場合に、その購買意欲をより刺激する形でクーポン表示を行うことができるので、広告効果を更に高めることができる。
【００５４】
また、本発明とは別のクーポンが設定されている商品に対して、本発明の時限付クーポンを更に適用する場合には、本発明の時限付クーポンのオフ率が予め設定されたオフ率よりも高くなるようにクーポン情報の内容を決定するようにしてもよい。
【００５５】
また、本出願に示す各態様は、方法、プログラムなどとしても把握することができる。方法やプログラムのカテゴリについては、装置のカテゴリで示した「手段」を、例えば、「工程」や「ステップ」のように適宜読み替えるものとする。また、処理やステップの順序は、本出願に直接明記のものに限定されず、順序を変更したり、一部の処理をまとめて若しくは随時一部分ずつ実行するよう変更したりすることができる。
【００５６】
その他、サーバ装置及び端末機器を構成する各装置の細部構成及び各装置の細部動作に関しても、本発明の趣旨を逸脱することのない範囲で適宜変更可能である。
【符号の説明】
【００５７】
１００  情報検索システム
１  サーバ装置（情報検索装置）
１１  制御部（検索手段、第１の判定手段、配信手段、第２の判定手段）
１２  操作部
１３  表示部
１４  記憶部
１５  通信部
２  基地局
３  端末機器（端末）
Ｎ  通信ネットワーク
【図１】
2015179364.tif 000003
【図２】
2015179364.tif 000004
【図３】
2015179364.tif 000005
【図４】
2015179364.tif 000006
【図５】
2015179364.tif 000007
【図６】
2015179364.tif 000008
【図７】
2015179364.tif 000009
【図８】
2015179364.tif 000010